(57)【特許請求の範囲】
【請求項１】
空気入りタイヤを有限個の要素でモデル化したタイヤモデルを設定するステップと、
前記タイヤモデルと接触する接触面を有するリムをモデル化したリムモデルを設定するステップと、
前記タイヤモデルを前記リムモデルに装着する条件を与えて前記リムモデルに前記タイヤモデルを嵌合させたタイヤ・リム組立体モデルを設定するステップとを含むタイヤのシミュレーション方法であって、
前記タイヤモデルは、タイヤ回転軸を含む断面における二次元形状で設定され、
前記リムモデルの前記接触面は、リムの回転軸を含む断面における二次元形状で設定され、
前記リムモデルの前記接触面は、直線を表す一次関数と、円弧を表す二次関数とを滑らかに繋いで定義されることを特徴とするタイヤのシミュレーション方法。
【請求項２】
前記二次元形状のタイヤモデルと、前記二次元形状のリムモデルとを嵌合したタイヤ・リム組立体モデルをタイヤ周方向に展開して三次元のタイヤ・リム組立体モデルを設定するステップをさらに含む請求項１記載のタイヤのシミュレーション方法。
【請求項３】
前記タイヤ・リム組立体モデルを設定するステップは、前記タイヤモデルと、前記リムモデルの接触面との接触を判定するステップを含み、
前記接触を判定するステップは、前記タイヤモデル側の各節点が、前記関数で表される面の内側にあるか又は外側にあるかを調べるステップを含む請求項１又は２に記載のタイヤのシミュレーション方法。
【発明の詳細な説明】
【技術分野】
【０００１】
本発明は、計算時間等を短縮しうるタイヤのシミュレーション方法に関する。
【背景技術】
【０００２】
近年、コンピュータを使用したタイヤ性能のシミュレーション方法が種々提案されている。例えば、下記特許文献１及び２には、タイヤ及びリムをそれぞれ複数の微小要素に分割して、タイヤモデル及びリムモデルを作成するステップと、これらの両モデルを嵌合させるステップとを含んだタイヤ性能のシミュレーション方法が記載されている。このようなシミュレーション方法は、タイヤ単体ではなく、タイヤを実際にリムに装着した状態での性能評価が可能になるため、予測精度を高めうる点で好ましいものである。
【先行技術文献】
【特許文献】
【０００３】
【特許文献１】特許第第３６５０３４２号公報
【特許文献２】特許第第４３７２４９８号公報
【発明の概要】
【発明が解決しようとする課題】
【０００４】
しかしながら、上記のシミュレーション方法では、いずれもリムモデルが、実際のリムを微小要素で分割して作られる。このような作業は、リムを多数の要素で分割するための節点の座標を決定し、かつ、全ての座標をコンピュータに記憶させる必要があり、モデルの作成に多くの時間を要するという問題があった。
【０００５】
また、図１１に示されるように、リムａは、通常、空気入りタイヤのビード部ｂが着座するリムシート面ａ１と、ほぼ垂直にのびビード部ｂの外側面を支えるリムフランジ面ａ２とが交わりるリムヒール部ａ３等が滑らかな円弧からなる曲面で構成されている。一方、有限要素法で使用される微小要素は、二次元の場合には直線、三次元の場合には平面で構成されるため、リムヒール部ａ３等の曲面を精度良く表現することができない。このため、従来のシミュレーション方法では、タイヤモデルをリムモデルに嵌合させるステップにおいて、予期しない振動が生じたり、計算精度が悪化する等の問題があった。
【０００６】
本発明は、以上のような問題点に鑑み案出なされたもので、リムモデルのタイヤモデルと接触する接触面を、関数によって定義することを基本として、モデルの作成時間を短縮するとともに、計算精度をも向上しうるタイヤのシミュレーション方法を提供することを主たる目的としている。
【課題を解決するための手段】
【０００７】
本発明のうち請求項１記載の発明は、空気入りタイヤを有限個の要素でモデル化したタイヤモデルを設定するステップと、前記タイヤモデルと接触する接触面を有するリムをモデル化したリムモデルを設定するステップと、前記タイヤモデルを前記リムモデルに装着する条件を与えて前記リムモデルに前記タイヤモデルを嵌合させたタイヤ・リム組立体モデルを設定するステップとを含むタイヤのシミュレーション方法であって、前記タイヤモデルは、タイヤ回転軸を含む断面における二次元形状で設定され、前記リムモデルの前記接触面は、リムの回転軸を含む断面における二次元形状で設定され、前記リムモデルの前記接触面は、直線を表す一次関数と、円弧を表す二次関数とを滑らかに繋いで定義されることを特徴とする。
【０００９】
また請求項３記載の発明は、前記タイヤ・リム組立体モデルを設定するステップは、前記タイヤモデルと、前記リムモデルの接触面との接触を判定するステップを含み、前記接触を判定するステップは、前記タイヤモデル側の各節点が、前記関数で表される面の内側にあるか又は外側にあるかを調べるステップを含むことを特徴とする。
【発明の効果】
【００１０】
本発明は、空気入りタイヤを有限個の要素でモデル化したタイヤモデルを設定するステップと、前記タイヤモデルと接触する接触面を有するリムをモデル化したリムモデルを設定するステップと、前記タイヤモデルを前記リムモデルに装着する条件を与えて前記リムモデルに前記タイヤモデルを嵌合させたタイヤ・リム組立体モデルを設定するステップとを含むタイヤのシミュレーション方法において、リムモデルの前記接触面を、関数によって定義することを特徴とする。このように、本発明で用いられるリムモデルは、関数によって接触面を特定しうる結果、従来のリムモデルのように、多数の微小要素（多数の節点）を用いてリムを分割する必要が無い。従って、リムモデルの作成時間が低減される。
【００１１】
また、本発明では、リムモデルの接触面が、関数を用いて定義されるため、平面はもとより、曲面についても二次関数等を用いて定義できる。従って、リムモデルの接触面を、滑らかに表現することもできる。これにより、タイヤモデルをリムモデルに嵌合させるステップにおいて、予期しない振動の発生や計算精度の悪化が抑制される。
【図面の簡単な説明】
【００１２】
【図１】本発明の一実施形態を示すフローチャートである。
【図２】二次元のタイヤモデルを視覚化して示す断面図である。
【図３】二次元のリムモデル（片側のみ）を視覚化して示す断面図である。
【図４】（ａ）及び（ｂ）は、リムモデルの実施形態を示す断面図である。
【図５】タイヤ・リム組立体モデルの設定方法を説明する断面図である。
【図６】タイヤ・リム組立体モデルを説明する断面図である。
【図７】他の実施形態のタイヤ・リム組立体モデルの設定方法を説明する断面図である。
【図８】三次元のタイヤ・リム組立体モデルを示す斜視図である。
【図９】比較例のリムモデルを示す断面図である。
【図１０】タイヤ・リム組立体モデルのビード部とリムとの嵌合状態を示す部分断面図であり、（ａ）は実施例、（ｂ）は比較例のものである。
【図１１】空気入りタイヤとリムとの嵌合状態を示す部分断面図である。
【発明を実施するための形態】
【００１３】
以下、本発明の実施の一形態が図面に基づき説明される。
図１には、本実施形態のタイヤのシミュレーション方法の処理手順の一例が示されており、この処理は、コンピュータ（図示省略）を用いて実行される。
【００１４】
本実施形態では、先ず、空気入りタイヤを有限個の要素でモデル化したタイヤモデルが設定される（ステップＳ１）。
【００１５】
図２に示されるように、本実施形態のタイヤモデル２は、タイヤ回転軸を含む断面形状を有する二次元形状で設定される。該タイヤモデル２は、解析対象となる空気入りタイヤ（図示省略）を有限個の微小な要素２ａ、２ｂ、２ｃ…に分割して離散化することにより、コンピュータにて取り扱い可能な数値データとして設定される。具体的には、各要素２ａ、２ｂ、２ｃ…の節点座標値、要素形状、材料特性（例えば密度、ヤング率、減衰係数など）が定義され、コンピュータに記憶される。
【００１６】
各要素２ａ、２ｂ、２ｃ…には、例えば２次元平面としては四辺形要素が好適である。また、３次元のタイヤモデルを作成する場合には、複雑形状を表現するのに適した４乃至６面体のソリッド要素などが用いられる。
【００１７】
本実施形態のタイヤモデル２には、トレッド部の表面のパターン形状（縦溝）も忠実に再現されているが、これらの形状を省略することもできる。
【００１８】
また、空気入りタイヤは、カーカスやベルト層等の繊維コード材で補強されるが、これらの繊維コード材は、例えば強度異方性が定義されたシェル要素２Ｓなどを用いてタイヤモデル２の中に組み入れられることが望ましい。さらに、空気入りタイヤには、リムに装着されるビード部に、非伸張性材料からなる環状のビードコアが埋設されているが、これについても、例えば剛要素を用いてタイヤモデル２の中に組み入れられるのが望ましい。
【００１９】
次に、本実施形態では、リムをモデル化したリムモデルが設定される（ステップＳ２）。
【００２０】
図３には、本実施形態のリムモデル３が視覚化して示されている。該リムモデル３は、リムの回転中心を含む断面形状を有する二次元形状で定義されており、図３には、右側のみが示されている。リムモデル３は、タイヤモデル２のビード部と接触する接触面４を有し、本実施形態のリムモデル３は、この接触面４のみで構成されている。
【００２１】
本実施形態において、前記リムモデル３の接触面４は、基点Ｏからタイヤ軸方向外側にのびる直線からなるリムシート面４ａと、このリムシート面４ａのタイヤ軸方向の外端Ａに滑らかに接続されかつ円弧からなるヒール円弧面４ｂと、このヒール円弧面４ｂのタイヤ軸方向外側の外端Ｂに滑らかに接続されかつ直線でのびるフランジ内方面４ｃと、このフランジ内方面４ｃの外端Ｃに滑らかに接続されかつ円弧からなるフランジ外円弧面４ｄとから構成されている。このフランジ外円弧面４ｄは、外端Ｄで終端している。
【００２２】
前記接触面４において、直線からなるリムシート面４ａは、例えば一次関数ｙ＝ｆ1（ｘ）｛ただし、区間は点Ｏ〜点Ａ｝で、また、直線からなるフランジ内方面４ｃは、例えば一次関数ｙ＝ｆ3（ｘ）｛ただし、区間は点Ｂ〜点Ｃ｝でそれぞれ定義される。本実施形態のリムシート面４ａは、タイヤ軸方向に対して５゜程度で傾斜している。同様に、フランジ内方面４ｃもタイヤ半径方向に対して５゜程度で傾斜している。
【００２３】
また、接触面４において、円弧からなるヒール円弧面４ｂは二次関数ｙ＝ｆ2（ｘ）｛ただし、区間は点Ａ〜Ｂ｝で、また、円弧からなるフランジ外円弧面４ｄは、二次関数ｙ＝ｆ4（ｘ）｛ただし、区間は点Ｃ〜Ｄ｝でそれぞれ定義される。
【００２４】
そして、上記各関数は、区間を示す点Ｏ、Ａ乃至Ｄの座標とともに、コンピュータに記憶される。また、本実施形態では、リムモデル３の前記接触面４は、実際のリムの変形が微小であることに鑑み、変化しない剛体表面として条件付けられる。ただし、このような条件に限定されるものではない。
【００２５】
このように、本実施形態のリムモデル３の接触面４は、一次関数で定義される直線及び二次関数で定義される円弧だけを用いて、基点Ｏから外端Ｄまで連続してかつ凹凸なく滑らかに構成される。このような接触面４を有するリムモデル３は、本来のリムが有する輪郭形状に基づいて関数を定義するだけで足り、従来のように、多数の微小要素でリムを分割・離散化する必要がない。従って、リムモデル３の作成時間が大幅に短縮される。
【００２６】
図３には、タイヤモデル２の右側のビード部と接触する接触面４Ｒを有する右側のリムモデル３Ｒが示されているが、図４（ａ）に示されるように、タイヤモデル２の左側のビード部と接触する接触面４Ｌを有する左側のリムモデル３Ｌも、右側のリムモデル３Ｒと左右対称形状で形成することができる。なお、左右のリムモデル３Ｌ、３Ｒは、図４（ａ）に示したように、離間して互いに独立したもの（以下、「分離タイプ」ということがある。）でも良いし、図４（ｂ）に示されるように、互いに連結されて一体化されたもの（以下、「一体タイプ」ということがある。）でも良い。
【００２７】
次に、本実施形態では、タイヤモデル２をリムモデル３に装着する条件を与え、リムモデル３にタイヤモデル２を嵌合させたタイヤ・リム組立体モデルが設定される（ステップＳ３）。
【００２８】
上記処理は、種々の方法で実行させることができる。例えば、リムモデル３が、図４（ａ）に示した分離タイプの場合、図５に示されるように、先ず、タイヤモデル２及びリムモデル３の互いの回転軸を揃えるとともに、左右のリムモデル３Ｌ、３Ｒのリム幅Ｒｗａを、タイヤモデル２のビード部の幅Ｂｗよりも大きく設定することにより、接触面４がタイヤモデル２のビード部と干渉しないように位置させる。
【００２９】
次に、図６に示されるように、左右のリムモデル３Ｌ、３Ｒのリム幅を、正規のリム幅Ｒｗになるようにタイヤ軸方向内側に移動させる。また、移動の後、タイヤモデル２の内腔面２ｉに空気圧に相当する等分布荷重が適用される。さらに、この際、両モデル２及び３の接触が判定され、接触していると判定された場合、一方のモデルは他方のモデルに対して壁として働き、互いの表面を通して力のやりとりが行われるとともに、タイヤモデル２の変形が計算される。そして、力の釣り合いが得られるまでこのような計算が繰り返される。この方法は、例えば上記特許文献２に記載されている。
【００３０】
他方、リムモデル３が、図４（ｂ）に示した一体タイプの場合、そのリム幅は、予め正規のリム幅Ｒｗで定義される。このため、図７に示されるように、タイヤモデル２及びリムモデル３の互いの回転軸を揃えるとともに、例えばタイヤモデル２のビード部の幅Ｂｗをリム幅Ｒｗよりも小さくなるよう変形させ、互いに干渉しないように位置させる。次に、タイヤモデル２の内腔面２ｉに空気圧に相当する等分布荷重が適用することにより、タイヤモデル２を膨張変形させる。この際、上記の場合と同様、両モデル２及び３の接触が判定され、接触していると判定された場合、一方のモデルは他方のモデルに対して壁として働き、互いの表面を通して力のやりとりが行われるとともに、タイヤモデル２の変形が計算される。なお、この方法は、例えば上記特許文献１に記載されている。
【００３１】
これらの処理を行うことにより、例えば、図６に示したように、リムモデル３にタイヤモデル２を所定の空気圧で嵌合させたタイヤ・リム組立体モデル５を設定することができる。
【００３２】
なお、上記ステップＳ３において、タイヤモデル２と、リムモデル３の接触面４との接触判定がなされるが、本実施形態のような関数で定義された接触面４を有するリムモデル３を使用した場合、微小要素で分割されたリムモデルを使用する場合に比して、上記接触判定を高速に計算できる利点もある。即ち、従来では、タイヤモデル２の各節点が、リムモデル３の個々の要素毎に内側又は外側にあるかを計算して判断しなければならない。これに対して、本実施形態の場合、接触面４が関数で定義されているので、タイヤモデル２側の各節点が、この関数で表される面の内側にあるか又は外側にあるかだけを調べれば良い。また、関数の数（種類）は、要素の数よりも少ないため、本実施形態では、上記判定処理をより高速に行うことができる他、要素分割のように、分割方法にも依存しない利点がある。
【００３３】
次に、本実施形態では、上記タイヤ・リム組立体モデル５を用いて、各種の変形シミュレーション（例えば、転動シミュレーション、接地形状シミュレーション、耐久シミュレーション等）が行われ（ステップＳ４）、その結果から各種の物理量が取得される（ステップＳ５）。なお、リムモデル３が分離タイプの場合、左右のリムモデル３Ｌ、３Ｒの並進自由度を一致させるのが望ましい。
【００３４】
なお、上記実施形態では、二次元のタイヤモデル２及びリムモデル３を例に挙げて説明したが、本発明は、このような実施形態に限定されるものではない。即ち、上述のように、二次元形状のタイヤモデル２とリムモデル３とを嵌合させたタイヤ・リム組立体モデル５をタイヤ周方向に展開し、三次元のタイヤ・リム組立体モデルを設定しても良いのは言うまでもない。
【００３５】
以上本発明の実施形態について詳細に説明したが、本発明は、上記実施形態に限定されるものではなく、本発明の要旨を逸脱しない範囲において種々変形することができるのは言うまでもない。
【実施例】
【００３６】
サイズ１９５／６５Ｒ１５の解析対象のタイヤと、１５×６．０Ｊのリム（ＪＡＴＭＡ規格準拠）について、それぞれ二次元のタイヤモデル、リムモデルが下記の仕様にて設定され、モデルの作成時間や嵌合時の精度等が評価された。
【００３７】
［実施例のタイヤ・リム組立体の仕様］
タイヤモデル：図２に準拠し、要素数は１９２６個とした。
リムモデル：図３に準拠した分離タイプとし、左右各々４種類の関数で定義された。
【００３８】
［比較例のタイヤ・リム組立体の仕様］
タイヤモデル：上記と同様
リムモデル：図９に示されるように、分離タイプとし、左右各々１７個（計３４要素）の微小要素ｅで定義された。なお、図９中、丸印は節点を示す。
【００３９】
先ず、リムモデルの作成時間については、実施例を１００とした場合、比較例は１５０であり、５０％も時間が多くかかっていることが確認できた。
【００４０】
また、嵌合ステップの計算に要した時間は、実施例を１００とした場合、比較例は１３１であった。
【００４１】
さらに、図１０には、嵌合ステップを完了した状態が視覚化して示されており、図１０（ｂ）の比較例では、タイヤモデルのビード部がリムモデルからはみ出しており、嵌合状態が精度良く再現されていないのに対して、図１０（ａ）の実施例では、精度の良い嵌合が得られていることが確認できた。
【符号の説明】
【００４２】
２  タイヤモデル
３  リムモデル
４  接触面
５  タイヤ・リム組立体モデル
【図１】
0005814740.tif 000002
【図２】
0005814740.tif 000003
【図３】
0005814740.tif 000004
【図４】
0005814740.tif 000005
【図５】
0005814740.tif 000006
【図６】
0005814740.tif 000007
【図７】
0005814740.tif 000008
【図８】
0005814740.tif 000009
【図９】
0005814740.tif 000010
【図１０】
0005814740.tif 000011
【図１１】
0005814740.tif 000012